【手続補正書】
【提出日】平成16年7月2日(2004.7.2)
【手続補正１】
【補正対象書類名】明細書
【補正対象項目名】全文
【補正方法】変更
【補正の内容】
【書類名】      明細書
【発明の名称】  電源装置を備えた防災用ハウス
【特許請求の範囲】
【請求項１】  ハウスの屋根上に太陽電池を配置し、ハウスの床下にハウスと一体連結した地下倉庫を設け、床に設けた開閉蓋を介して、地下出入り用の開口部を設け、ハウスの床又は地下倉庫内に、太陽電池からの電流を受け入れ、蓄積す、出力する同一容量に分割した複数のバッテリーと、バッテリーからの直流電流を交流電流に換え外部に電力を出力させる出力部を有するインバーターと、太陽電池とバッテリーとの間に介在し、インバーターに接続して太陽電池からの電流の過充電、過放電、逆流を防止し、かつ、各バッテリーへ均等に充電し、各バッテリーからインバータへ均等に放電し、インバータに安定供給させるチャージコントローラーとからなる電源装置を設け、インバータの出力部に室内灯と電気機器及び電動工具とを接続可能としたことを特徴とする電源装置を備えた防災用ハウス。
【請求項２】  電源装置は、床に凹部を形成し、凹部の一部が地中に埋設していることを特徴とする請求項１又は請求項２記載の電源装置を備えた防災用ハウス。
【請求項３】  地下倉庫を、倉庫兼便槽としたことを特徴とする請求項１記載の電源装置を備えた防災用ハウス。
【請求項４】  地下倉庫を、便槽と雨水貯水槽としたことを特徴とする請求項１記載の電源装置を備えた防災用ハウス。
【請求項５】  地下倉庫を、便槽としたことを特徴とする請求項１記載の電源装置を備えた防災用ハウス。
【請求項６】  地下倉庫は、上面及び側面の上部を地上に露出させたことを特徴とする請求項１記載の電源装置を備えた防災用ハウス。
【請求項７】  地下倉庫は、連結部を除いて地中に埋設したことを特徴とする請求項１乃至請求項５のいずれか記載の電源装置を備えた防災用ハウス。
【請求項８】  地下倉庫を鋼材で形成したことを特徴とする請求項１乃至請求項７のいずれか記載の電源装置を備えた防災用ハウス。
【発明の詳細な説明】
【０００１】
【産業上の利用分野】
本発明は、災害時の備蓄倉庫として適した防災用ハウスに関するものである。
【０００２】
【従来技術】
従来の防災用の避難場所は、近くの住民のために、自治体の建物、又、公立等の学校の講堂、体育館等スペースの広い所を使用していた。これらの避難場所の建物は、特別に災害の避難用として建てられたものでなく、集会に必要な電気、水道、ガス等、又学校においては、生徒の給食用その他に必要な電気、水道、ガス等を備えたもので、それらを一時的に借用するものである。又、学校にあっては、学校の講堂、体育館の他に、災害時の食料品、救急医療等の備蓄倉庫の設備を設けている。更に、水源確保として、プール、井戸を設置しているところもある。
【０００３】
【発明が解決しようとする課題】
これらの緊急避難用として使用される建物が、地震、火災、水害等で災害時に電気、水道、ガス等のライフラインが寸断された場合は、避難時に一番問題になるのが電気である。懐中電灯、ラジオ用等の小型の電源は蓄えられ左程問題はない。しかし、大型の電源は、特殊な設備を除いて一般的には蓄電できない。現生活で使用する機器、道具等の動力源は、大半が電気に依存しているので、電気が使えなくなることは避難生活する上で非常に不便である。
【０００４】
次に、水、食料であるが、個々で若干備蓄が可能である。その次に重要なのがトイレである。トイレは水、食料以外に避難生活をする上で不可欠なものである。都市では水洗化率が高く、大半が水洗トイレを使用しており、避難場所となる学校は、水洗トイレが大半である。断水で水洗トイレが使えなくなると、避難者の排泄の処理が大きな問題となる。緊急時に、汲み取り用の仮設トイレが救援資材として届けられことも可能であるが、排泄対策として、自発的に、自治体にて、又個々にて緊急用の汲み取り式トイレを備えるところは極めて少ない。
【０００５】
本発明は、従来の問題点に鑑みなされたもので、その目的とするところは、災害時に電力、ガス、水道等のライフラインが寸断されても、備蓄倉庫に、最小限避難生活に必要な電力及び便器を備えた防災用ハウスを提供しようとするものである。
【０００６】
【問題を解決するための手段】
上記目的を達成するために、本発明における防災用ハウスには、太陽光線から太陽電池を介して不定量に発生する電力を常に二次電池に蓄えながら、必要に応じて太陽電池からと、一時蓄えておく二次電池とから安定した電力を連続的に負荷に提供する太陽発電システムを備えたものである。
即ち、ハウスの屋根上に、太陽電池を配置し、室内の床に、太陽電池からの直流電流を受け入れ蓄積し、出力する同一容量に分割した複数のバッテリーと、バッテリーからの直流電流を交流電流に換え外部に出力させる出力部を有するインバータと、太陽電池とバッテリーとの間に介在しインバータに接続して、太陽電池からの直流電流の過充電、過放電、逆流を防止し、かつ各バッテリーへの均等に充電し、各バッテリーからインバータへ均等に放電し、各バッテリーからインバータへ均等に放電しインバータに安定供給させるチャージコントローラーとからなる電源装置を設け、インバータに室内灯と電気機器及び電動工具を接続可能とし、更に、ハウスの下に、ハウスと一体連結した地下倉庫を設け、連結部に地下出入り用の開口部を設けた。
【０００７】
床に設けた電源装置の収納用凹部は、凹部の一部を地中に埋設させた。
【０００８】
更に、地下倉庫を倉庫兼共同トイレの便槽とした。
通常は備蓄倉庫として使用し、緊急時には備品を地下倉庫から取り出し、地下倉庫を共同トイレの便漕として利用する。
【０００９】
地下倉庫を便槽と雨水貯蔵槽にした。
雨水漕は防災ハウスの周辺に設置し地下倉庫と別構造でもよい。
【００１０】
地下倉庫を共同トイレの便槽とした。
【００１１】
地下倉庫は、上面及び側面の上部を地上に露出させた。
【００１２】
地下倉庫は、連結部を除いて地中に埋設した。
【００１３】
地下倉庫を鋼材で形成した。
【００１４】
【作用】
商用電源と接続せず、独立した太陽電池で随時に蓄積した電力を、いつでも照明灯に使用できる。更に一般の電気器具をも使用できる。
【００１５】
防災用ハウスは、地下に倉庫を設けてあり、取り出しが容易であり、更に地下は外気温に影響されず、食料品等を一定温度で保管できる。
【００１６】
地下倉庫を緊急時の避難者の共同トイレの便槽として利用できる。
【００１７】
地下倉庫を、便層と雨水貯溜槽としたので、便槽は便所として利用でき、雨水貯溜槽は防火用水として用い、更に、バッテリーの電源を使用して、雨水を汲み上げ、防火放水用、水洗トイレ用として利用できる。
【００１８】
【実施例】
以下、本発明の太陽電池と電源装置とを組み合わせた独立電源システムを備える防災用ハウスの第一実施例を図１、図２を用いて説明する。
防災用ハウスはハウス１の下に地下倉庫を一体的に連結している。ハウス１は主に避難生活の寝泊まりが出来る住まいとし、地下は主に備蓄倉庫とした。
防災用ハウス１は側面パネル、屋根のパネルは錆に強く耐震性を有し見映えのよいアルミ製で、略方形で形成されている。ハウス１のフラットな屋根２０上には、架台２６を介して、受光面を太陽に対面させるよう南側に面を向けた太陽電池３が設けられている。
ハウスは地震に強くアンカーボルトで基礎に固定されている。
床は水害から守るために、地面より高い床板１０となっている。
床は水害から守るために、地面より高い床板１０となっている。
ハウス１の床板１０には、開閉蓋１２を介して、下方に一体型の凹部１３が設けられ、内部に電源装備４が収納されている。
ハウス１の室内天井には、ハウス１の室内を照明する室内灯８が設置され、更に天井から壁にかけ、太陽電池３から充電ケーブル１８が引かれ、電源装置４に導かれている。又、同じく天井、壁面に、配線１９が電源装置４から室内灯８へ導かれている。尚、２４は地面、３６は配線１９、充電ケーブル１８を内壁に固定する係止部を示す。
【００１９】
太陽電池は太陽光を直接電気エネルギーに変換する薄膜系のアモルファスシリコン電池を用いている。
架台１枠に太陽電池３枚が横に３列セットされ、屋根上には、架台６枠で太陽電池を合計１８枚を設置する。（太陽電池１枚２２Ｗを１８枚で３９６Ｗｈ）太陽電池の発電する電力は、１時間で最大３９６Ｗである。
【００２０】
床板１０下に収納した電源装置４は、図２に示すように、チャージコントローラー５とバッテリー６とインバータ７とからなる。
バッテリー６は太陽電池３からの直流電流を受け入れ、蓄積し、インバータ７に出力するもので、２次電池として機能する。太陽電池の発生電力を日本電機工業会で推奨するソーラーシステムの計算式に当てはめ、１日当たりの消費電力（蓄電エネルギー）を求めると、（計算式省略）５４４ＷＨである。
この得られる発生電力エネルギーを１００％蓄電する場合の電池容量は、
１５．４８ＡＨ（計算式省略）で、これは１２Ｖ・１７ＡＨの蓄電池を約９個を必要としバランスされる。しかし、この実施例では、消費電力量を３倍程に見積もり、鉛シール式の１２Ｖ，１７Ａｈ用のバッテリー６を３並列９個直列の合計２７個にした。従って、蓄電池容量は、５．２ＫＶＡである。
【００２１】
インバータ７は、バッテリー６からの直流電流を、出力部より交流電流で出力させるもので、出力性能は、定格で３．５ＫＷである。
インバータ７の出力部Ａには配線１９が接続され、出力部Ｂには２個のコンセントを持つ。出力部近辺には、スイッチＰが設けられている。出力部Ｂは電気機器及び電動工具のプラグと接続可能となっている。インバータ７が電源装置４に一括している場合は、開閉蓋１２を開け接続させることになる。
しかし、インバータ７だけ分散して開閉蓋１２の外部に設置した場合は、出力部Ｂへの電気機器、電動工具の接続は開閉蓋に関係なく容易となる。
【００２２】
インバータ出力部のコンセントＢに接続の電気機器としては、テレビ、ラジオ、パソコン、冷蔵庫、掃除機、炊飯器、換気扇、電気炬燵、電気毛布、電気ストーブ、扇風機など、避難生活に最低限必要な電気部品、電動工具としては、井戸やプールからの水揚げ用ポンプ、夜間の救助用に現場を照らす投光器、倒木を切るためのチェンソー、掘削工具等、その他の利用として医療具、情報通信機器（ファックス、コンピュータ、テレビ、無線機）、浄水器かある。但し、誘導電圧により加熱する調理器具類、高度な波形を必要とする医療機器や通信機器には利用できない。
【００２３】
チャージコントローラー５は、太陽電池３から発生する小電流をも各バッテリーへ均一に分配して充電し、各バッテリーからインバータへ放電し、太陽電池３への逆流を防止し、バッテリーへの過充電を防止し、インバータへの直流電流を安定供給する指令や制御を行う機能を有する。
【００２４】
この太陽電池と電源装置とを組み合わせた独立電源システムでは、所定量の電力（１日当たりの負荷消費電力量は５４４ＷＨであるので、雨天時でも消費電力量は５４４ＷＨであるので、雨天時でも消費電力５４４Ｗの電気器具で９時間半、１００Ｗの電気器具では５２時間使用できる。）を供給できる。又、バッテリーを放電させた後、満充電するために要する日数は、夏場の晴天日で２日間、年間平均日数は９．５日である。
【００２５】
次に防災用ハウス１に一体的に連結した地下倉庫２について説明する。
ハウス１は主に避難生活の寝泊りが出来る住まいとし。地下を備蓄倉庫とした。
ハウス１の真下に１個所の連結部２７を介して、ハウス１とアンカーボルト等で強固に一体連結した地下倉庫２が設けてある。
連結部２７は外部から水、泥等が侵入しないようにシールされ、かつ強固にハウス１の床材１０と支持部材２９とに一体連結されている。地下倉庫２は連結部２７を除いて、地中に埋設している。ハウス１の床板１０には、開閉蓋１２を介して、下方に一体型の凹部１３が設けられ、内部に電源装置４が収納されている。
更に、床板１０には開閉蓋１１が設けられ、この蓋１１の下方には地下倉庫２の連結部２７が配置されている。
地下倉庫２は、強靭な鋼材を接合し、ボックス状の一体的にしたものである。上面には、ハウス１に干渉しない外方位置に地下倉庫２用の空気抜き穴１７が一対設けられている。
連結部２７の内部は、人が地下から食料品等を運搬できる広さの倉庫の開口部１４を形成する。この倉庫の開口部１４の側部には、地下に昇降するための梯子１６が架設されている。梯子１６は取り外し可能にセットされている。尚、２４は地面、２１は貯蔵用の食料品等を示す。ハウス１の床板１０と各蓋１１、１２は蓋を閉めているときは、同一面となり、人の寝泊り可能な床となる。電源装置４の収納する凹部１３の一部は地中に埋設している。このように埋設するのは、バッテリーの周囲が生活環境温度内ならば、バッテリーの性能を低下させないが、生活環境温度外の寒冷、酷暑気温だと、長期使用しないと自然放電量が多く、充電しても元に戻りにくく使用不能となる等性能低下となるので、出来るだけ生活環境温度内に設定するのが望ましく、温度変化の少ない地中に埋設している。しかし、外気の影響も少なく、床まで充分な高さがある場合は、埋設しなくても良い。又、地下倉庫も金属製でなく、他の材料、例えばプラスチックでもよい。プラスチックは耐腐食性である。
【００２６】
防災用ハウス１は、アルミ製以外にステンレス製でもよい。腐食せず掃除がしやすく見映えがよければ、その他のものでもよい。ハウスの床上は、人の寝泊りで説明しているが、当然倉庫としての機能即ち、備蓄の食料品等を置くことができる。更に、電源装置４のうち、電気機器、電動工具と接続する出力部を有するインバータ７だけハウス１内の適宜場所から延長して設けてもよい。又、地下倉庫内に室内灯を設置しても良い。
【００２７】
本発明の太陽電池と電源装置とを組み合わせた独立電源システムを備えた防災用ハウスの第二実施例を図３を用いて説明する。
第一実施例と共通部分の説明は省略する。この実施例の第一実施例との違いは、地下倉庫を小型にし、地下倉庫に電源装置を設けた点である。即ち、ハウス１に地下倉庫２を耐震構造を有するように強固に一体に連結して設け、地下の梯子１６の下にステップ部３０を設け、ステップ部３０の内部に電源装置４を設けた。ステップ部３０は逆Ｕ字状で内部に電源装置４を配設し、梯子１６を支持固定している。地下倉庫内に室内灯を配設してもよい。２１は貯蔵用の食料品である。図示しないが、電源装置４のうち、出力部Ｂを有するインバータ７だけは、分散してハウス１内の出入口近くの場所に設けるが、又は梯子１６の裏側に設けると、ハウス１の外部でコードを延ばして電動工具の作業かし易い。又、出力部Ｂだけインバータ７からコードを延ばして設けてもよい。地下倉庫２は厚みのある鋼材でボックスを形成している。上面には、ハウス１に干渉しない位置に地下倉庫２用の空気抜き穴１７が一対設けられている。３１はコンクリートで固めた土台で、地下倉庫２の上面を覆い開口部１４の周囲を固定している。図中、３２は棚で種々の電動工具等、例えば、破壊した建物又は、倒れた木等を切断するためのチェンソー、電動カッター、夜間の救出用照明器具等、更には、医療器具、タンカー等を置く。３３は机、上にはテレビ３５やパソコン、ラジオを設置する。３４は椅子、その他、折り畳みベッド、布団、毛布を置くことができる。２９は支持部材、３６は配線、充電ケーブルを壁面に固定する係止部である。
【００２８】
図４は第二実施例の一部変更したもので、地下倉庫２の上面と上部の側壁が地上に露出した形状で、その他は第二実施例と同じであり説明は省略する。
【００２９】
図５は、第三実施例で、地下倉庫を便槽と雨水貯水槽に利用したものである。防災ハウス１は前記実施例と同じであり、その説明は省略する。
防災用ハウス１の下に一体的に設けた地下倉庫は、汲み取り用の便槽４０と非常用水に使用する雨水貯水槽５０である。
いずれも被災者用として利用するものである。この便槽４０は溜まった屎尿をバキュームホースにて汲み取りやすく、かつ洗浄し易いように隅部を円滑に形成している。便槽４０の開口部１４上の床板１０に便器４３が設置されている。
便器４３はお年寄りや障害者にも配慮した高座式便器が好ましい。４５は、室内を仕切る簡易な衝立てである。４６は防災ハウス１の外部に設けた小便用便器である。４８は屋根を示す。図示しないが、更に小便用容器を設け、排尿用ダクト４７を便槽４０内に導くとよい。室内用便器も多く設けることも出来る。更には簡易な便器として、折り畳み式便器をも準備し、災害時に取り出し、セットして排尿用ダクトを便槽４０に導くようにすればよい。
便槽４０は耐震性や耐用年数を考慮して、防水、耐腐食、耐破損の材質を用いる。
この実施例の便槽４０の容量は、約８０００リットルの便槽４０で、１人１日あたり屎尿の平均排泄量を１．４リットルとして、約１９００人が３日間使用できる。この便槽は避難者の共同便所の便槽として利用できる。雨水貯溜槽５０は、防災ハウス１の屋根の雨水を集め樋からダクト５２を介して溜めるもので、非常用の水である。水は水表面が常に動くように水道水で常時補水させ腐らないようにしておくとよい。又、排水が下水等に流れる構造とする。用途としては、主に防火用、他として便所用、洗濯用の水として、更には浄水器にかけて飲料水としても利用できる。電源装置４の電源を利用し、汲み上げポンプでダクト５２より汲み上げる。便槽４０は衛生面での注意が必要である。
避難解除後は、直ちに屎尿を完全に汲み取り、水洗し、徹底的に消毒して再度利用できるようにしておくことが必要である。
この雨水貯水槽と便槽は鋼材以外にコンクリートで形成し、内面を防水モルタルで仕上げてもよい。
コンクリートは強アルカリ性で内部に貯溜した水は腐らない。そのアルカリ度を下げ浄水器にかければ、雨水は非常用飲料水ともなる。
この実施例は最初から地下倉庫を便層４０用と雨水貯水槽５０用として記載してきたが次に述べるように倉庫兼便槽とすることもできる。
つまり、地下倉庫を非常時用倉庫として使い、災害時には地下倉庫内の非常用備品を床上その他に移動し、地下出入り口を塞いで（臭いが漏れないように密封する）その上に仮設便器を設置し、地下倉庫を便槽として使用するものでる。便器は地下出入り口の大きさにもよるが、複数の便器が設置できる。
又、雨水貯水槽は防災ハウスの地下倉庫を使用しないで、ハウスの近辺に別に設けても良い。
地下倉庫を緊急時に便槽として使用する場合は、第二実施例の便槽の倍の容量となる。
更には、地下倉庫が深ければ、床材を挟んで上下に分け、下層は便槽、上層は便器の設置場所としても良い。
【００３０】
次に本発明の作用を説明する。
まず、独立電源システムに付いて説明する。
太陽光線が太陽電池３で電気エネルギーに変換された電力は、充電ケーブル１８を介してチャージコントローラー５に送られ、チャージコントローラー５により制御され電力を小容量に均一分配して各バッテリー６に充電され、均一になるように蓄積される。
チャージコントローラー５は、バッテリー６の電力容量が少ない場合は、太陽電池３からの電力を容量の大きさに関係なく充電させ蓄電させる。
バッテリー６が満充電になった場合、自動的に、太陽電池３からの電力をストップさせ、過充電にならないようにする。そして、バッテリー６に電力を満タンにさせ、いつでも供給させる態勢にある。インバータ７の出力部Ｂから外部の電機機器、電動工具に電力を供給するニーズがあった場合、電動機器、電動工具のプラグをコンセントに差し込み、スイッチＰをオンにすると、即座に、チャージコントローラー５が自動的に作動して、インバータ６から必要量の電力を安定して供給する。バッテリー６の容量が満タンでない場合、チャージコントローラー５は、各バッテリー６から均一に出力させ、電力を安定して供給するようにコントロールする。又、チャージコントローラー５は、出力部Ａ、Ｂへ過放電しないように制御して常に安定した状態で電気機器、電動工具を駆動させる。室内灯８はインバータ７の出力部Ａから配線１９を介して、接続されており、スイッチＰにて点灯、消灯が可能となっている。従って、常に太陽電池３から容量の大小にかかわらず、出力する電力をバッテリーで蓄積し、太陽電池の出力電力より大のバッテリーの蓄積電力をもって蓄えるので、災害時の倉庫兼避難場所の電源として、少なくとも２〜３日は確保できる。又、この電源システムの実施例としては、１５Ａの高速カッターと、４００Ｗの水中ポンプ２台の合計３台が同時に使用できる能力を有する。
【００３１】
地下倉庫２内の空気は、上方の１７から排出し、又外気が侵入して、倉庫２内の空気は循環される。倉庫２は連結部２７を除いて、地中に埋設されているので、地表の温度に影響されず、一定の温度を維持するので食料品の味を変えず長く保存させることが出来る。ハウス１は、食料品等は地下に収納し、電源装置４は床下に配置するので、床上はフラットで、床全域を避難者の寝泊りの生活空間として利用できる。夜間になっても、蓄積された電力が、インバータ７の出力部Ａ、Ｂから供給され、照明灯（電灯）が点灯するので、幼児の夜の恐怖を取り除くことができる。又、テレビ、ラジオ等ヲ利用スレバ、ニュースで災害状況が把握できる。更に、ポンプを介して井戸水を汲み上げ使用できるので、電力、プールや井戸が防災ハウス周囲の外部に設置されている場合は水の確保が可能である。又、防災用ハウスの下にハウスと一体連結した地下倉庫を設け、床に設けた蓋を開け、梯子を介して身近に食料品等を取り出せる構造となっている。
【００３２】
梯子１６の下のステップ部３０内に電源装置４を配設したので、ハウス１の床材１０は凹部が不要となり、地下倉庫２の上部と床下との間を小さくできるので、地下倉庫２の上面と側面の上部を地中より露出させることが出来る。
【００３３】
防災ハウスに、避難者の共同の便所を備えているので、電源ばかりでなく、排便の心配も解決する。便所は水洗式ではなく、汲み取り式であるので、緊急時には多くの人が利用できる。
【００３４】
【発明の効果】
本発明は、上記のとおり構成されるので、次に記載する効果を奏する。
【００３５】
独立電源システムなので、地震、火災、津波等の災害で電力会社からの電源が寸断されても、避難先として使用する防災用ハウス内に、生活に必要な最小限の電力を通常使用のいろいろの電気機器を、安心して使用することができる。ハウスの周囲に、水源用としてプールや井戸の設備がある場合は、更に、電気にて水揚げポンプを駆動し、水の汲み上げが可能で飲料水も確保できる。
【００３６】
夜間には、蓄積された電力がインバータの出力部から供給され、照明器具が点灯するので、幼児の哺乳、排尿等が容易となり安心である。又老人等の夜中の排便の通路照明に便利である。
【００３７】
電源装置のインバータの出力部は、コンセントまたはプラグ等で一般の電気機器及び電動工具との接続が容易である。
【００３８】
地下倉庫をハウスの下の地下に一体結合して設けたので、保存する食料品地下倉庫をハウスの地下に一体結合して設けたので、保存する食料品〔飲料水も含む〕を取り出し易く、しかも地下に埋設されているので、地表の気温変化に影響されず、一定の温度で保管され、いつまでも新鮮な品質が維持される。
【００３９】
床に凹部を形成し、凹部の一部が地中に埋設しているので、バッテリー等が寒冷、酷暑に影響されにくく電源装置の性能を維持できる。
【００４０】
地下倉庫を一部または全部を共同の便槽としたので、男女を問わず避難者か共同して利用でき、排便の心配もなく、便槽も大きく期間が長くても避難生活を快適に過ごすことが出来る。
【００４１】
地下倉庫に雨水貯溜槽を設けたので、防火用水として利用できる他、浄水器にかければ、非常用飲料水も可能である。
【００４２】
地下倉庫内のステップ部の下に、電源装置を設けたので、特別な収納部を設けることもなく、電源装置が人に触れない位置にあり安全である。
【００４３】
地下倉庫は、強靭な鋼材でボックス状に形成しているので、外方からの土砂で押し潰されることはない。
【図面の簡単な説明】
【図１】
本発明の第一実施例である防災用ハウスの全体断面図である。
【図２】
本発明の第一実施例の電力発生から供給までの経路を示す説明図である。
【図３】
本発明の第二実施例の防災用ハウスの全体断面図である。
【図４】
本発明の第二実施例の変形例の防災用ハウスの全体断面図である。
【図５】
本発明の第三実施例の防災用ハウスの全体断面図である。
【符号の説明】
１    防災用ハウス
２    地下倉庫
３    太陽電池
４    電源装置
５    チャージコントローラー
６    バッテリー
７    インバータ
８    照明灯
９    出力部
１０  床板
１１  開閉蓋
１２  電源装置用開閉蓋
１４  収納庫の開口部
１６  梯子
１８  充電ケーブル
１９  配線
２０  屋根
２１  食料品等
２６  架台
２７  連結部
３０  ステップ部
３１  土台
４０  便漕
４４，４６  便器
５０  雨水貯溜漕


【手続補正２】
【補正対象書類名】図面
【補正対象項目名】全図
【補正方法】変更
【補正の内容】
【図１】
1999071919.tif 000001
【図２】
1999071919.tif 000002
【図３】
1999071919.tif 000003
【図４】
1999071919.tif 000004
【図５】
1999071919.tif 000005